(57)【要約】【課題】岩場などの船虫が生息する場所にこの場所から所定距離隔てた所からでも容易に、しかも岩場などの不陸な所にも船虫の捕捉に適した状態で設置することができ、これにより船虫を効率良く捕捉してこの船虫を餌にして釣りを楽しむことができる船虫捕捉装置を提供する。【解決手段】船虫を内部に誘導する船虫誘導部２と、該船虫誘導部２を通じて誘導した船虫を収容する船虫収容部３とからなる船虫捕捉装置１であって、船虫誘導部２は、先端開口２１を形成する周縁にその底辺を地面に密着させるための弾性体５が介装されるとともに、当該弾性体５に棒状部材６の先端が着脱自在に連結され、さらに、船虫誘導部２が連結手段４によって船虫収容部３に着脱自在に構成されている。【選択図】  図１
2007330120.tif 000002
【特許請求の範囲】
【請求項１】
船虫を内部に誘導する船虫誘導部と、該船虫誘導部を通じて誘導した船虫を収容する船虫収容部とからなる船虫捕捉装置であって、
上記船虫誘導部は、先端開口を形成する周縁にその底辺を地面に密着させるための弾性体が介装されるとともに、当該弾性体に棒状部材の先端が着脱自在に連結され、さらに、船虫誘導部が連結手段によって船虫収容部に着脱自在に構成されたことを特徴とする船虫捕捉装置。
【請求項２】
船虫を内部に誘導する船虫誘導部と、該船虫誘導部を通じて誘導した船虫を収容する船虫収容部とからなる船虫捕捉装置であって、
上記船虫誘導部は、誘導開口部を形成する本体部の両側に所定長さを有するガイド部材が水平方向に回動自在に設けられ、当該左右のガイド部材の先端には所定長さの保持部材の両端が着脱自在に設けられるとともに、この保持部材に棒状部材の先端が着脱自在に連結され、さらに、船虫誘導部が連結手段によって船虫収容部に着脱自在に構成されたことを特徴とする船虫捕捉装置。
【発明の詳細な説明】
【技術分野】
【０００１】
本発明は、船虫を捕捉するための船虫捕捉装置に関するものである。
【背景技術】
【０００２】
従来、磯の岩場などには船虫が生息しており、釣り人の中にはこの船虫を磯釣りの餌にしている者も多く、このような者のために従来において船虫を内部に誘導する船虫誘導部材と、船虫誘導部材を通じて誘導した船虫を捕捉する船虫捕捉部材とからなる船虫捕捉装置が提供されており（例えば、特許文献１参照。）、この船虫捕捉装置によって船虫を捕捉して磯釣りの餌として使用していた。
【特許文献１】特開２００５−１４３３１２号公報
【発明の開示】
【発明が解決しようとする課題】
【０００３】
しかしながら、上記従来の船虫捕捉装置では、この装置を設置するために人が船虫に近づくと船虫は岩場の隙間や影にさぁと逃げてしまう。このため逃げた船虫が装置に再度近づいて十分な量を捕捉するまでに時間かかる。また、船虫捕捉装置を平坦ではない磯の岩場に設置した場合、船虫誘導部材の部分が岩場に対して浮いた状態になってしまうことが多く、このように船虫の捕捉には好ましくない状態で配置されると捕捉効率が悪くなるという問題があった。
【０００４】
本発明は、上記問題点に鑑みてなされたもので、その目的とするところは、岩場などの船虫が生息する場所にこの場所から所定距離隔てた所からでも容易に、しかも岩場などの不陸な所にも船虫の捕捉に適した状態で設置することができ、これにより船虫を効率良く捕捉してこの船虫を餌にして釣りを楽しむことができる船虫捕捉装置を提供することを目的とするものである。
【課題を解決するための手段】
【０００５】
上記の目的を達成するため、請求項１に係る発明の船虫捕捉装置は、船虫を内部に誘導する船虫誘導部と、該船虫誘導部を通じて誘導した船虫を収容する船虫収容部とからなる船虫捕捉装置であって、上記船虫誘導部は、先端開口を形成する周縁にその底辺を地面に密着させるための弾性体が介装されるとともに、当該弾性体に棒状部材の先端が着脱自在に連結され、さらに、船虫誘導部が連結手段によって船虫収容部に着脱自在に構成されたものである。
【０００６】
請求項２に係る発明の船虫捕捉装置は、船虫を内部に誘導する船虫誘導部と、該船虫誘導部を通じて誘導した船虫を収容する船虫収容部とからなる船虫捕捉装置であって、上記船虫誘導部は、誘導開口部を形成する本体部の両側に所定長さを有するガイド部材が水平方向に回動自在に設けられ、当該左右のガイド部材の先端には所定長さの保持部材の両端が着脱自在に設けられるとともに、この保持部材に棒状部材の先端が着脱自在に連結され、さらに、船虫誘導部が連結手段によって船虫収容部に着脱自在に構成されたものである。
【発明の効果】
【０００７】
本発明の船虫捕捉装置によれば、船虫を簡単にしかも短時間で効率良く捕捉することができるので、釣り人にとっては釣り餌として必要な量の船虫を釣り場において簡単に調達できて釣りを楽しむことができる。
【発明を実施するための最良の形態】
【０００８】
以下、本発明の実施の形態について図面を参照して説明する。
【０００９】
図１は、本発明の船虫捕捉装置の全体構成を示している。
【００１０】
この船虫捕捉装置１は、船虫を内部に誘導する船虫誘導部２と、該船虫誘導部２を通じて誘導した船虫を収容する船虫収容部３とを備えている。
【００１１】
船虫誘導部２は、所定の長さを有する筒状に形成された例えば黒色や磯場に会った色の布材からなり、先端開口２１が船虫を内部に誘導する誘導口になされるとともに、基端２２が船虫収容部３に連結手段としての例えばファスナー４によって着脱自在に連結されている。なお、連結手段としては、上記ファスナー４の他、面ファスナーやボタン止めなど着脱できるものであればよい。  上記先端開口２１を形成する周縁２１ａには弾性体５が介装されている。弾性体５は、頂部から下方にかけて漸次幅広となるように山型状に形成された支持部５１を備え、この支持部５１が周縁２１ａに形成された筒状部２１ｂ内に挿入配置されるとともに、該支持部５１の各下端５１ａが内部に向かって延長されている。これにより先端開口２１は弾性体５に相当する形状、即ち三角形状に形成されている。
【００１２】
そして、このように形成された支持部５１は、外力が加わるとその弾性作用によって左右の下端５１ａ間の間隔が可変になっている。
【００１３】
周縁２１ａの底縁２１ｃにはスポンジ（図示省略）が内蔵されており、磯場に設置した際に底縁２１ｃが当該磯場の凸凹になじむようにしている。
【００１４】
また、この支持部５１の頂部には、棒状部材６の先端が着脱自在に接続されるように構成されている。具体的には、支持部５１の頂部から船虫収容部３側となる後方に延設された延設部５２の先端にネジ５３が設けられ、このネジ５３を棒状部材６の先端に形成されたネジ孔にねじ込むことによって両者を連結させるようになっている。
【００１５】
上記棒状部材６としては、例えば魚をすくい取るときに用いられるたも網の柄を兼用してもよいし、また多段伸縮式のものを用いてもよい。
【００１６】
このように弾性体５に棒状部材６の先端を接続することで、当該棒状部材６を用いて船虫収容部３を含む装置全体を持ち上げることができ、この船虫捕捉装置１を任意の位置に設置することができる。
【００１７】
前記船虫収容部３は、船虫誘導部２と同様に所定長さを有する筒状に形成された布材からなり、一端が前述したように連結手段によって船虫誘導部２と着脱自在に構成されるとともに、他端にキャップ３１によって開閉自在な取出口３２が設けられており、この取出口３２を通じて捕捉した船虫を取り出すようにしている。
【００１８】
この船虫収容部３の内側面には、船虫が滑りやすいように摩擦抵抗の小さい例えばビニールのようなシートが張設されており、船虫収容部３に収容した船虫を取り出し易いようにしている。
【００１９】
次に、このように構成された船虫捕捉装置の使用について説明する。
【００２０】
まず、船虫捕捉装置１を磯場（磯場の他、堤防や岸壁、テトラなど）などの船虫が生息していそうな場所に設置する。即ち、たも網の柄などの棒状部材６の先端を弾性体５に連結し、この棒状部材６を用いて船虫のいそうな任意の位置に船虫捕捉装置１を設置する。この際、弾性体５の弾性作用によって当該弾性体５の下端の間隔が岩場の状況に応じて変わることで、先端開口２１を形成する周縁２１ａの底縁２１ｃを岩場に密着した状態で配置させることができるので、これによって船虫が先端開口２１を通じて内部に入り易くなる。  
【００２１】
また、棒状部材６を用いて船虫捕捉装置１を磯場などに設置することができるので、例えば棒状部材６を徐々に延ばしながら人が船虫に近づかないで当該船虫がいる場所に設置することができる。これにより、人が近づいて船虫が逃げてしまうのを避けながら船虫捕捉装置１を設置することができ、船虫を短時間で効率良く捕捉することができる。
【００２２】
図２は、本発明の船虫捕捉装置の他の実施形態を示している。
【００２３】
この船虫捕捉装置１は、船虫誘導部２が以下のように構成されていることを特徴とするものである。
【００２４】
船虫誘導部２は、誘導開口部２０１を形成する本体部２００の両側に水平方向に回動自在に設けられた所定長さを有するガイド部材２１０と、これら左右のガイド部材２１０の先端に着脱自在に設けられた保持部材２２０とを備えている。
【００２５】
本体部２００は、中心部が開口された矩形状で且つ所定長さ有する枠状体からなり、船虫収容部３に適宜な連結手段によって着脱自在に連結されている。なお、船虫収容部３は、前述した船虫収容部と同様であり、同部材に同符号を付して説明は省略する。
【００２６】
各ガイド部材２１０は、その基端が本体部２００の側縁に回動自在に支持され、この基端を中心にして水平方向に回動自在に設けられている。
【００２７】
保持部材２２０は、左右のガイド部材２１０を所定角度に開いた状態で保持するためのものである。具体的には、長尺状の本体部２２１の両端部に各係止ピン２２２が長手方向に移動可能に設けられており、これら係止ピン２２２の先端垂下部をガイド部材２１０の先端に設けられた係止孔２１１に係止することで左右のガイド部材２１０を保持するようにしている。従って、係止ピン２２２を長手方向に移動させて両係止ピン２２２間の距離を調整することで、左右のガイド部材２１０の開き量を調整することができる。
【００２８】
また、この保持部材２２０の中央部には、前述した棒状部材６と同様な棒状部材６の先端が着脱自在に接続されるように構成されている。具体的には、保持部材２２０の中央部にネジ２２３を用いて棒状部材６の先端を連結するようにしている。
【００２９】
そして、前記本体部２００及びガイド部材２１０の内側には布部材２３０が配設されており、ガイド部材２１０を通じて本体部２００内に船虫を導き易いようにしている。
【００３０】
次に、このように構成された上記船虫捕捉装置の使用について説明する。
【００３１】
まず、船虫捕捉装置１を磯場などの船虫が生息していそうな場所に設置する。即ち、たも網の柄などの棒状部材６の先端を保持部材２２０に連結し、この棒状部材６を用いて船虫のいそうな任意の位置に船虫捕捉装置１を設置する。
【００３２】
この際、左右のガイド部材２１０を左右に開いた状態で設置することができるので、これらガイド部材２１０によって船虫を本体部２００側に導いて当該本体部２００を介して船虫収容部３内に誘導して収容することできる。
【００３３】
また、棒状部材６を用いて船虫捕捉装置１を磯場などに設置することができるので、例えば棒状部材６を徐々に延ばしながら人が船虫に近づかないで当該船虫がいる場所に設置することができる。これにより、人が近づいて船虫が逃げてしまうのを避けながら船虫捕捉装置１を設置することができ、船虫を短時間で効率良く捕捉することができる。
【００３４】
さらに、図３に示すように前記係止孔２１１を利用してガイド部材２１０を例えば２枚連設することができるように構成することで、さらに本体部２００内に導くための間口を大きく構えることができ、これにより船虫をさらに効率良く捕捉することができる。
【００３５】
なお、図３に示す符号２１２は、ガイド部材２１０の最先端に配置して当該ガイド部材２１０を安定的に支持するための支持脚である。また、このように配設された左右のガイド部材先端間に前記保持部材２２０を連結してもよい。
【図面の簡単な説明】
【００３６】
【図１】本発明の船虫捕捉装置の構成を示す斜視図である。
【図２】本発明の船虫捕捉装置の他の構成を示す斜視図である。
【図３】ガイド部材の応用例を示す斜視図である。
【符号の説明】
【００３７】
１  船虫捕捉装置
２  船虫誘導部
２１  先端開口
２００  本体部
２０１  誘導開口部
２１０  ガイド部材
２２０  保持部材
３  船虫収容部
４  ファスナー（連結手段）
５  弾性体
６  棒状部材
【図１】
2007330120.tif 000003
【図２】
2007330120.tif 000004
【図３】
2007330120.tif 000005